(57)【要約】 【課題】    入力されるアナログ画像信号を接続されるコンピュータを用いて高速で処理することができ、かつ製品のコストダウンを大幅に図ることのできるプロジェクションシステムを提供すること。【解決手段】アナログ画像信号を出力する画像情報出力機器２が接続され、光源から射出された光束を、入力された画像情報に応じて変調して光学像を形成し、拡大投射するプロジェクタ３は、画像情報出力機器２が接続されるアナログ信号入力端子３Ａと、アナログ信号入力端子３Ａに入力されるアナログ画像信号をデジタル画像信号に変換するアナログ／デジタル変換処理部３１と、アナログ／デジタル変換処理部３１で変換されたデジタル画像信号を出力するデジタル信号入出力端子３Ｂと、デジタル信号入出力端子３Ｂを介して接続されるコンピュータ５とデジタル画像信号の通信を行う双方向通信手段３４とを備えている。【選択図】 図１
2006284929.tif 000002
【特許請求の範囲】
【請求項１】
光源から射出された光束を画像情報に応じて変調して光学像を形成し、拡大投射するプロジェクタと、前記プロジェクタにアナログ画像信号からなる画像情報を出力する画像情報出力機器とを備えたプロジェクションシステムであって、
前記プロジェクタは、
前記画像情報出力機器が接続されるアナログ信号入力端子と、
前記アナログ信号入力端子に入力されるアナログ画像信号をデジタル画像信号に変換するアナログ／デジタル変換処理部と、
デジタル信号が入出力されるデジタル信号入出力端子と、
前記デジタル信号入出力端子を介して接続されるコンピュータとデジタル画像信号の通信を行う双方向通信手段とを備え、
前記コンピュータは、
入力されたデジタル画像信号の画像処理を行う画像処理手段と、
前記プロジェクタとデジタル画像信号の通信を行う双方向通信手段とを備えていることを特徴とするプロジェクションシステム。
【請求項２】
請求項１に記載のプロジェクションシステムにおいて、
前記プロジェクタは、
入力されるアナログ画像信号の画像処理を行う画像処理手段と、
接続される前記コンピュータ内の画像処理手段による画像処理、及び自己が保有する画像処理手段による画像処理の少なくともいずれかを選択する画像処理選択手段とを備えていることを特徴とするプロジェクションシステム。
【請求項３】
請求項２に記載のプロジェクションシステムにおいて、
前記画像処理選択手段は、いずれかの画像処理手段による画像処理の選択を促す選択肢提示部と、前記選択肢提示部で選択された結果に基づいて、いずれかの画像処理手段で画像処理を行うかを選択設定する選択設定部とを備えていることを特徴とするプロジェクションシステム。
【請求項４】
請求項１に記載のプロジェクションシステムにおいて、
前記プロジェクタは、入力されるアナログ画像信号の画像処理を行う画像処理手段を有しないことを特徴とするプロジェクションシステム。
【請求項５】
光源から射出された光束を、入力されるアナログ画像信号からなる画像情報に応じて変調して光学像を形成し、拡大投射するプロジェクタであって、
アナログ画像信号を出力可能な画像情報出力機器が接続されるアナログ信号入力端子と、
前記アナログ信号入力端子から入力されたアナログ画像信号をデジタル画像信号に変換するアナログ／デジタル変換処理部と、
デジタル信号が入出力されるデジタル信号入出力端子と、
前記デジタル信号入出力端子を介して接続されるコンピュータとデジタル画像信号との通信を可能とする双方向通信手段とを備えていることを特徴とするプロジェクタ。
【発明の詳細な説明】
【技術分野】
【０００１】
本発明は、光源から射出された光束を画像情報に応じて変調して光学像を形成し、拡大投射するプロジェクタと、前記プロジェクタにアナログ画像信号からなる画像情報を出力する画像情報出力機器とを備えたプロジェクションシステム、及びこのプロジェクションシステムに用いられるプロジェクタに関する。
【背景技術】
【０００２】
従来、光源から射出された光束を画像情報に応じて変調して光学像を形成し、拡大投射するプロジェクタが知られている。このようなプロジェクタは、入力される画像情報に基づいて、例えば、液晶パネル等の光変調装置を駆動制御することにより光学像を形成して、拡大投射するものである。
ここで、液晶パネル等の光変調装置の場合、印加電圧−光透過特性等に個体差があるので、プロジェクタにはビデオプロセッサが内蔵され、入力された画像信号を、このビデオプロセッサにより光変調装置の個体差に応じた色補正や輝度補正を行い、入力画像信号に応じた適切な輝度、色を再現することのできる投射画像を投影するようになっている（例えば、特許文献１参照）。
【０００３】
ところで、近年のＯＡ機器の利用においては、高速処理の可能なホストコンピュータ等がネットワーク上で接続され、ホストコンピュータの処理速度を利用したネットワーク上での処理効率の向上が図られている。例えば、携帯端末等の処理速度の遅い外部機器をこのホストコンピュータとネットワークを介して通信接続し、外部機器で処理すべき内容の一部を、ネットワークを介してホストコンピュータで処理させて、操作性の向上等を図る技術が提案されている（例えば、特許文献２参照）。
そして、このようなホストコンピュータの利用方法は、プロジェクタにおいても、画像処理の一部を、プロジェクタに接続されたコンピュータで処理することにより、プロジェクタの画像処理を低減し、処理速度の向上やプロジェクタの製品コストのダウンを図ることが可能であるため、プロジェクタを用いたプレゼンテーション用途においても要望されている。
【０００４】
一方、このようなプロジェクタの用途として、近年はホームシアター用の大画面表示装置としての展開が図られており、ホームシアター用途においても、前述したホストコンピュータを利用してプロジェクタに内蔵されるビデオプロセッサの処理負担を軽減し、プロジェクタの製品コストダウンを図ることが考えられる。
【０００５】
【特許文献１】特開２００３−３２５８０号公報（図１、図２、〔００３１〕〜〔００３７〕）
【特許文献２】特開２００２−９１４１４号公報（図１、図２、〔００４０〕〜〔００４７〕）
【発明の開示】
【発明が解決しようとする課題】
【０００６】
しかしながら、ホームシアター用途のプロジェクタには、コンピュータ接続におけるデジタル画像信号が入力されるだけでなく、接続されたテレビチューナ、ＶＴＲデッキ、ＤＶＤプレイヤ等の画像情報出力機器からコンポジット信号、コンポーネント信号等のアナログ画像信号が入力される。
プロジェクタでは、このアナログ画像信号に基づいて投射画像を表示する必要があるが、このアナログ画像信号を処理するには、従来のプロジェクタと同様の処理能力を有するビデオプロセッサを内蔵しなければならず、プレゼンテーション用途のように、ビデオプロセッサの処理負担を軽減して、プロジェクタの製品コストダウンを図ることが困難であるという問題がある。
【０００７】
本発明の目的は、入力されるアナログ画像信号を接続されるコンピュータを用いて高速で処理することができ、かつ製品のコストダウンを大幅に図ることのできるプロジェクションシステム、及びプロジェクタを提供することにある。
【課題を解決するための手段】
【０００８】
本発明のプロジェクションシステムは、光源から射出された光束を画像情報に応じて変調して光学像を形成し、拡大投射するプロジェクタと、前記プロジェクタにアナログ画像信号からなる画像情報を出力する画像情報出力機器とを備えたプロジェクションシステムであって、
前記プロジェクタは、
前記画像情報出力機器が接続されるアナログ信号入力端子と、
前記アナログ信号入力端子に入力されるアナログ画像信号をデジタル画像信号に変換するアナログ／デジタル変換処理部と、
デジタル信号が入出力されるデジタル信号入出力端子と、
前記デジタル信号入出力端子を介して接続されるコンピュータにデジタル画像信号の通信を行う双方向通信手段とを備え、
前記デジタル信号入出力端子を介して前記プロジェクタと接続されるコンピュータは、
入力されたデジタル画像信号の画像処理を行う画像処理手段と、
前記プロジェクタとデジタル画像信号の通信を行う双方向通信手段とを備えていることを特徴とする。
【０００９】
ここで、プロジェクタとコンピュータの接続は、種々の方法が考えられ、例えば、ＵＳＢに準拠した入出力端子を介して両者を接続したり、プロジェクタに電源コンセント等の外部機器への電力供給手段を設けておき、電力線通信（ＰＬＣ：Power Line Communication）を利用して両者を接続したり、さらには、家庭内ＬＡＮに接続されたホームサーバと無線ＬＡＮによって両者を接続することが考えられる。
この発明によれば、プロジェクタがアナログ／デジタル変換処理部と双方向通信手段を備えていることにより、プロジェクタに入力されたアナログ画像信号を、デジタル信号入出力手段を介して接続されたコンピュータにデジタル画像信号として出力し、コンピュータ内部の画像処理手段で画像処理を行うことができる。従って、プロジェクタ内部での画像処理の負担を大幅に軽減することができ、高性能なビデオプロセッサをプロジェクタに内蔵させる必要がなく、コンピュータによる高速の画像処理を実現しつつ、プロジェクタの製品コストを大幅にダウンさせることができる。
【００１０】
本発明では、前記プロジェクタは、入力されるアナログ画像信号の画像処理を行う画像処理手段と、接続される前記コンピュータ内の画像処理手段による画像処理、及び自己が保有する画像処理手段による画像処理の少なくともいずれかを選択する画像処理選択手段とを備えているのが好ましい。
この発明によれば、コンピュータ内の画像処理手段で画像処理を行うか、プロジェクタ内の画像処理手段で画像処理を行うかを、プロジェクタの画像処理選択手段によって選択することができるので、入力されるアナログ画像信号のデータ量に応じていずれかの画像処理手段で処理させることができる。従って、データ量が少ない軽いアナログ画像信号の処理の場合、コンピュータへのデータ転送を省略して、画像投影に要する時間の短縮を図ることができる。一方、データ量の多い重いアナログ画像信号の処理の場合、高速処理が可能なコンピュータ内の画像処理手段で画像処理を行うことにより、画像処理の高速化を図り、画像投影に要する時間の短縮を図ることができる。
【００１１】
本発明では、前記画像処理選択手段は、いずれか画像処理手段による画像処理の選択を促す選択肢提示部と、前記選択肢提示部で選択された結果に基づいて、いずれかの画像処理手段で画像処理を行うかを選択設定する選択設定部とを備えているのが好ましい。
この発明によれば、投影画像を観察する観察者がどちらで画像処理を行わせるかを選択できるので、例えば、コンピュータが接続されていない場合には、プロジェクタに内蔵された画像処理手段により画像処理を行わせることができるので、プロジェクタの使い勝手が向上する。
【００１２】
本発明では、前記プロジェクタは、入力されるアナログ画像信号の画像処理を行う画像処理手段を有しないのが好ましい。
この発明によれば、画像処理手段すなわちビデオプロセッサを内蔵しないでプロジェクタが製造されるため、ビデオプロセッサに要するコストを削減して、製品コストの大幅な低減を図ることができる。
【００１３】
本発明は、前述のプロジェクションシステムを構成するプロジェクタとすることができ、具体的には、
光源から射出された光束を、入力されるアナログ画像信号からなる画像情報に応じて変調して光学像を形成し、拡大投射するプロジェクタであって、
アナログ画像信号を出力可能な画像情報出力機器が接続されるアナログ信号入力端子と、
前記アナログ信号入力端子から入力されたアナログ画像信号をデジタル画像信号に変換するアナログ／デジタル変換処理部と、
デジタル信号が入出力されるデジタル信号入出力端子と、
前記デジタル信号入出力端子を介して接続されるコンピュータとデジタル画像信号との通信を可能とする双方向通信手段とを備えていることを特徴とする。
この発明によれば、アナログ信号入力端子に画像情報出力機器を接続し、デジタル信号入出力端子にコンピュータを接続することにより、前記と同様にアナログ画像信号を、コンピュータにより高速で画像処理することができ、かつ製品のコストダウンを大幅に図ることができる。
【発明を実施するための最良の形態】
【００１４】
以下、本発明の実施形態を図面に基づいて説明する。
■１．第１実施形態
図１には、本発明の第１実施形態に係るプロジェクションシステム１が示されている。このプロジェクションシステム１は、画像情報出力機器２、プロジェクタ３、ＵＳＢケーブル４、及びコンピュータ５を備えて構成される
画像情報出力機器２は、ビデオやＤＶＤ等の記録媒体に記録された映像データをアナログ画像信号として出力する機器であり、ＶＴＲデッキやＤＶＤプレイヤ等が該当する。出力されるアナログ画像信号としては、コンポジット信号、コンポーネント信号がある。ＵＳＢケーブル４は、ＵＳＢ1.1、ＵＳＢ2.0等の規格に準拠したケーブルであり、接続機器及び被接続機器間で双方向通信が行うことができる。
【００１５】
（１）プロジェクタ３の構成
プロジェクタ３は、画像情報出力機器２から入力されたアナログ画像信号に基づいて、光学像を形成し、スクリーン６上に拡大表示するものであり、アナログ／デジタル変換処理部としてのＡ／Ｄコンバータ３１、ＲＯＭ３２、ＲＡＭ３３、双方向デジタル通信手段３４、Ｄ／Ａコンバータ３５、液晶駆動回路３６、照明光学系３７、光変調装置としての液晶パネル３８、及び投射レンズ３９を備えて構成される。
Ａ／Ｄコンバータ３１は、画像情報出力機器２が接続されるコンポジット映像端子、コンポーネント映像端子等のアナログ信号入力端子３Ａから入力されるコンポジット信号、コンポーネント信号等のアナログ画像信号をデジタル信号に変換する部分であり、変換されたデジタル画像信号は、双方向デジタル通信手段３４に出力される。
【００１６】
ＲＯＭ３２には、プロジェクタ３の画像処理に必要な情報が記録されており、具体的には、入力された画像信号に応じて液晶パネル３８に適切な光学像を形成させるための輝度ムラ、色ムラ補正値、γ補正値等のプロジェクタ３に固有の補正情報が記録されている。
ＲＡＭ３３には、図示を略したプロジェクタ３の操作パネルを観察者が操作することにより設定されたプロジェクタ３の投射画像の画質設定状態に関する情報が記録されている。画質設定を行う際の画質調整項目としては、色味、コントラスト、明るさ等がある。
双方向デジタル通信手段３４は、ＵＳＢ規格に準拠したデジタル信号入出力端子３ＢにＵＳＢケーブル４を介して接続されるコンピュータ５との間で通信を行う部分であり、Ａ／Ｄコンバータ３１で変換されたデジタル画像信号は、この双方向デジタル通信手段３４からコンピュータ５に出力される。また、このデジタル画像信号に先立って、接続時に双方向デジタル通信手段３４は、ＲＯＭ３３内に記憶された各種設定値をコンピュータ５に出力する。
【００１７】
Ｄ／Ａコンバータ３５は、コンピュータ５から出力された画像処理済みのデジタル画像信号をアナログ信号に変換する部分であり、このＤ／Ａコンバータ３５で変換されたアナログ信号は液晶駆動回路３６に出力される。
液晶駆動回路３６は、液晶パネル３８を駆動制御する部分であり、入力されたアナログ信号に基づいて、液晶パネル３８を構成する画素が駆動制御される。
このように本実施形態におけるプロジェクタ３では、画像処理を行うためのフレームバッファやビデオプロセッサ等を一切搭載していない。このため、画像処理を行うのに必要なデバイスが省略されているので、プロジェクタ３の製品コストは、従来のものよりも大幅に低減することができる。
【００１８】
照明光学系３７は、液晶パネル３８を照明する部分であり、光源装置と、レンズ、偏光変換素子等の光学素子とを含んで構成される。光源装置は、図示を略したが、高圧水銀ランプ、メタルハライドランプ等の光源ランプと、光源ランプから放射された光束を一定方向に揃えて射出するリフレクタとを備えて構成される。
液晶パネル３８は、図示を略したが、一対の透明な基板に電気光学物質となる液晶が密閉封入された液晶パネル本体と、この液晶パネル本体の入射側及び射出側に配置される一対の偏光板とを備えている。
【００１９】
一対の基板のうち、一方の基板は、液晶封入面にＩＴＯ膜等の共通電極が形成された構成を備えている。他方の基板は、互いに並行に配列形成される複数のデータ線と、この複数のデータ線と直交する方向に配列形成される複数の走査線と、隣り合う２つのデータ線及び２つの走査線の間の矩形状の領域に設けられる画素電極及びスイッチング素子となるＴＦＴとを備えている。
そして、液晶駆動回路３６からの駆動信号に応じてスイッチング素子がオンオフされ、液晶パネル３８の各画素における光束透過率が変化して、液晶パネル３８の画像形成領域上に光学像が形成される。
投射レンズ３９は、鏡筒内に設定された照明光軸上に複数のレンズを配置した組レンズとして構成され、液晶パネル３８から射出された変調光束は、この投射レンズ３９によって拡大されてスクリーン６上に投射される。
【００２０】
（２）コンピュータ５の構成
コンピュータ５は、中央演算処理装置及び記憶装置を備え、持ち運び可能なノート型のコンピュータとして構成され、双方向デジタル通信手段５１、フレームバッファ５２、デジタル画像出力手段５３、及び画像処理手段５４を備えて構成される。
双方向デジタル通信手段５１は、前記と同様にＵＳＢケーブル４を介して接続されるプロジェクタ３との間で双方向デジタル通信を行う部分であり、ＵＳＢケーブル４が接続されるデジタル信号入出力端子５Ａから入力されたデジタル画像信号を受信するとともに、画像処理手段５４で画像処理された処理済みのデジタル画像信号を、プロジェクタ３に出力する。
【００２１】
フレームバッファ５２は、プロジェクタ３から出力されたデジタル画像信号に後述する所定の画像処理を行った画像信号を１フレーム単位で蓄積する部分であり、フレーム単位で蓄積されたデジタル画像信号は、画像処理手段５４に出力される。
デジタル画像出力手段５３は、コンピュータ５内部で生成したデジタル画像信号や、コンピュータ５に直接接続された画像情報出力機器（図示略）から出力され、コンピュータ５によってデジタル化されたデジタル画像信号を、フレームバッファ５２に出力する部分である。尚、前記のフレームバッファ５２に入力されるデジタル画像信号は、２系統となるが、デジタル画像出力手段５３は、いずれかの画像を表示させるかの選択を促し、観察者が選択したデジタル画像信号をフレームバッファ５２に蓄積させる。
【００２２】
画像処理手段５４は、前記のＲＯＭ３３に記録され、プロジェクタ３から出力された補正値に基づいて、入力されたデジタル画像信号の画像処理を行って液晶パネル３８に応じたデジタル画像信号を生成する部分であり、輝度ムラ補正部５４１、色ムラ補正部５４２、γ補正部５４３、ユーザ設定調整部５４４、及びアナログ画像処理部５４５を備えて構成される。
輝度ムラ補正部５４１は、プロジェクタ３の液晶パネル３８の画像形成領域の輝度ムラを補正する部分である。具体的には、輝度ムラ補正部５４１は、複数の要素領域に分割された液晶パネル３８の画像形成領域毎に輝度ムラ補正値が設定されたテーブルを参照し、入力されたデジタル画像信号に応じて各要素領域を適切な輝度値となるように補正する。
色ムラ補正部５４２は、プロジェクタ３の液晶パネル３８の画像形成領域の色ムラを補正する部分であり、前記の輝度ムラ補正部５４１と同様の手順で各要素領域の色ムラを補正する。
【００２３】
γ補正部５４３は、入力されたデジタル画像信号の階調信号に対して出力すべき印加電圧データを補正する部分である。このγ補正部５４３は、液晶パネル３８の画素によって入力階調に対して光束透過量にバラツキが生じるので、これを補正するために設けられている。具体的には、γ補正部５４３は、入力階調に対する出力階調（駆動電圧）を対応させたＬＵＴとして格納された補正値を参照することにより、入力されたデジタル画像信号の階調補正を行う。
ユーザ設定調整部５４４は、図示を略したが、ユーザがプロジェクタ３の操作ボタンや、リモートコントローラを操作して設定した画質調整量や台形歪補正の補正量に基づいて、入力されたデジタル画像信号の出力調整を行う部分である。
【００２４】
アナログ画像信号処理部５４５は、双方向デジタル通信手段５１に入力されたアナログ画像信号を、その信号の種類に応じて適宜変換する部分であり、ＩＰ変換処理、Ｙ／Ｃ分離処理、色差信号分離処理等を実施する。
ＩＰ変換処理は、デジタル双方向通信手段５１に入力されたＮＴＳＣ方式やＰＡＬ方式等のインターレース方式の画像信号を、垂直解像度の高いプログレッシブ形式の画像信号に変換して高密度でちらつきのない画像に変換する処理である。
【００２５】
Ｙ／Ｃ分離処理は、入力された画像信号がコンポジット信号である場合、コンポジット信号を輝度信号と色信号に分離する処理であり、色差信号分離処理は、分離された色信号をさらに、Ｃｂ、Ｃｒの色差信号に分離する処理である。尚、コンポジット信号は輝度信号と色信号が１つのケーブルに重畳されているため、同期信号を元に単純にこれらを分離しただけではドット妨害やクロスカラー等の画質劣化が生じてしまう。そこで、アナログ画像信号処理部５４５では、１フレーム内の上下方向のコヒーレンシーと複数フレーム間の時間方向のコヒーレンシーを考慮して輝度信号と色信号を分離する三次元Ｙ／Ｃ分離を行っている。
さらにこのアナログ画像信号処理部５４５は、このような信号形式の変換のみならず、放送波が画像信号として入力された場合のゴースト除去、ＤＶＤ等の圧縮画像におけるブロックノイズ除去、モスキートノイズ除去、背景ノイズの除去等の各種画像処理を行って入力された画像信号の高画質化を図っている。
【００２６】
（３）プロジェクションシステム１の作用
次に、前述した構成のプロジェクションシステム１の作用を、図２に示されるフローチャートに基づいて説明する。
画像情報出力機器２をプロジェクタ３のアナログ信号入力端子３Ａに接続し、プロジェクタ３及びコンピュータ５をＵＳＢケーブル４で接続した状態で、プロジェクタ３及びコンピュータ５のスイッチをオンにすると、プロジェクタ３の双方向デジタル通信手段３４は、ＲＯＭ３２及びＲＡＭ３３内に記録された補正情報及び画質設定情報をコンピュータ５に出力する（処理Ｓ１）。
コンピュータ５の画像処理手段５４は、プロジェクタ３から出力された補正情報及び画質設定情報を読み込み（処理Ｓ２）、自己の作業領域としてのＲＡＭ（図１では図示略）にストアする。
【００２７】
画像情報出力機器２からアナログ画像信号の出力が開始されると、アナログ信号入力端子３Ａを介してプロジェクタ３に入力され、アナログ画像信号の読み込みが行われる（処理Ｓ３）。
Ａ／Ｄコンバータ３１は、入力されたアナログ画像信号をデジタル画像信号に変換して、順次双方向デジタル通信手段３４に出力する（処理Ｓ４）。
双方向デジタル通信手段３４は、入力されたデジタル画像信号をデジタル信号入出力端子３Ｂからコンピュータ５に出力する（処理Ｓ５）。
【００２８】
プロジェクタ３から出力されたデジタル画像信号は、コンピュータ５の双方向デジタル通信手段５１で受信され、前記のアナログ画像信号処理部５４５によって入力される画像信号の形式に応じてＩＰ変換、Ｙ／Ｃ分離、色差分離処理、ノイズ除去等の各処理が施された後、フレームバッファ５２に読み込まれる（処理Ｓ６）。
フレームバッファ５２に読み込まれたフレーム単位のデジタル画像信号は、液晶パネル３８の走査順に従って順次画像処理が施される（処理Ｓ７）。具体的には、輝度ムラ補正部５４１、色ムラ補正部５４２、及びγ補正部５４３は、ＲＯＭ３２から出力された補正情報に基づいて、輝度ムラ、色ムラ、階調特性の補正を行い、プロジェクタ３の液晶パネル３８の領域毎の固有のバラツキを解消し、ムラ等のない高品質の画像を形成できるデジタル画像信号にする。ユーザ設定調整部５４４は、ＲＡＭ３３から出力された画質設定情報に基づいて、投射画像の画質調整を施した処理を行い、液晶パネル３８のデジタル画像信号を生成する。
【００２９】
画像処理手段５４によって処理された処理済のデジタル画像信号は、双方向デジタル通信手段５１に出力され、双方向デジタル通信手段５１は、ＵＳＢケーブル４を介してプロジェクタ３に出力する（処理Ｓ８）。
プロジェクタ３の双方向デジタル通信手段５１は、受け取った処理済みのデジタル画像信号をＤ／Ａコンバータ３５に出力し、Ｄ／Ａコンバータ３５は、液晶パネル３８の駆動用のアナログ制御信号に変換する（処理Ｓ９）。
Ｄ／Ａコンバータ３５によって変換されたアナログ制御信号は、液晶駆動回路３６に入力し、液晶駆動回路３６は、入力されたアナログ制御信号に基づいて、液晶パネル３８を駆動する（処理Ｓ１０）。
照明光学系３７から射出された光束は、この液晶パネル３８の駆動によって光変調され、投射レンズ３９を介してスクリーン６上に変調後の投影画像が表示される（処理Ｓ１１）。
【００３０】
■２．第２実施形態
次に、本発明の第２実施形態について説明する。尚、以下の説明では、既に説明した部分と同一の部分については、同一符号を付して、その説明を省略又は簡略する。
前述の第１実施形態では、プロジェクタ３及びコンピュータ５は、ＵＳＢケーブル４で接続され、双方向デジタル通信は、このＵＳＢケーブル４を介して行われていた。
これに対して、第２実施形態に係るプロジェクションシステム７は、図３に示されるように、プロジェクタ１３には、デジタル信号入出力端子としての外部機器への電力供給用のサービスコンセント１３Ｂが設けられ、このサービスコンセント１３Ｂにコンピュータ１５の電源ケーブル１４を接続し、この電源ケーブル１４を通信ケーブルとした電力線通信（ＰＬＣ）によって双方向デジタル通信を実現している点が相違する。
【００３１】
また、前記第１実施形態では、プロジェクタ３内部には、フレームバッファや、ビデオプロセッサ等の画像処理手段を構成する部品が内蔵されていなかった。
これに対して、第２実施形態に係るプロジェクタ１３は、画像処理手段１３１、フレームバッファ１３２を備え、さらに、メニュー画面によって観察者に画像処理手段を選択させる画像処理選択手段１３３を備えている点が相違する。
以下、これら新たな構成について詳述する。
【００３２】
（１）プロジェクタ１３及びコンピュータ１５の構成
図３に示されるように、プロジェクタ３は、外部商用電源Ｖccから電力を供給され、供給された電力は、電源ユニット１３４から、プロジェクタ１３を構成する制御基板、照明光学系、液晶パネル等の電気動作部分に分配されるようになっている。このうち、プロジェクタ１３の外装筐体には、サービスコンセント１３Ｂが設けられており、電源ユニット１３４の電力の一部は、このサービスコンセント１３Ｂから接続された他の外部機器に供給されるようになっている。
サービスコンセント１３Ｂにコンピュータ１５の電源ケーブル１４を接続すると、電源ユニット１３４から電力がコンピュータ１５に供給され、供給された電力は、コンピュータ１５に内蔵されたバッテリ１５１に蓄積され、このバッテリ１５１に蓄積された電力によって、コンピュータ１５が動作する。
【００３３】
このような構成において、プロジェクタ１３の双方向デジタル通信手段３４及びコンピュータ１５の双方向デジタル通信手段５１は、電源ケーブル１４を介して双方向デジタル通信を行う。尚、この際、電力ラインには、ノイズ等が載りやすいので、デジタル画像信号の出力に際しては、スペクトラム拡散方式等を利用してデジタル画像信号を広帯域の信号に変換して送受信を行い、ノイズの影響を少なくすることが可能である。
このような電力線通信による双方向デジタル通信を行うことにより、プロジェクタ１３及びコンピュータ１５を電源ケーブル１４で接続するだけでデジタル画像信号をプロジェクタ１３から出力し、コンピュータ１５で画像処理を行わせて投影画像を表示することができる。
【００３４】
前述したように、本実施形態に係るプロジェクタ１３は、画像処理手段１３１、フレームバッファ１３２、及び画像処理選択手段１３３を備えている。
画像処理手段１３１は、コンピュータ１５内で展開される画像処理手段５４と略同様の構成を有するものであり、Ａ／Ｄコンバータ３１でデジタル変換されたデジタル画像信号の画像処理を行うことができる。また、フレームバッファ１３２もコンピュータ１５のフレームバッファ５２と略同様の構成を有し、Ａ／Ｄコンバータ３１で変換されたデジタル画像信号をフレーム単位の画像情報として蓄積する。
画像処理選択手段１３３は、プロジェクタ３に入力されたアナログ画像信号を、プロジェクタ３の画像処理手段１３１、コンピュータ１５の画像処理手段５４のいずれかで行うかを選択する部分であり、選択肢提示部１３３Ａ及び選択設定部１３３Ｂを備えている。
【００３５】
選択肢提示部１３３Ａは、スクリーン６上に投影されたメニュー画面に基づいて、観察者にどちらでの画像処理をすればよいかの選択を促す部分であり、具体的には、起動時に次のようなメニューを画面上に提示し、プロジェクタ１３に設けられた操作ボタンやリモコンの操作を促す。
(a)  プロジェクタで画像処理を行う。
(b)  コンピュータで画像処理を行う。
上記メニューのうち(a)を選択した場合、画像処理は専らプロジェクタ１３の画像処理手段１３１で行うこととなるが、静止画等の比較的軽い画像情報の画像処理を行う場合に好適である。
一方、(b)の場合には、画像処理は専らコンピュータ１５の画像処理手段で行うこととなるが、動画等変化の激しい画像情報の画像処理を行う場合に好適である。尚、本実施形態では、このような選択肢しか挙げていないが、さらに、プロジェクタ１３及びコンピュータ１５の双方で分担して処理させるような構成としてもよい。この場合、ユーザ設定調整に関しては、コンピュータ１５側の画像処理手段５４で行い、輝度ムラ補正、色ムラ補正、γ補正等の装置固有の部分をプロジェクタ１３側の画像処理手段１３１で行ったり、画像データを交互に処理させて、同期を取って画像表示するような方法が考えられる。
【００３６】
選択設定部１３３Ｂは、選択肢提示部１３３Ａで選択操作された結果に基づいて、Ａ／Ｄコンバータ３１でデジタル変換されたデジタル画像信号を、プロジェクタ１３側、コンピュータ１５側どちらで処理させるかを設定する部分である。
選択肢提示部１３３Ａで(a)が選択された場合、選択設定部１３３Ｂは、Ａ／Ｄコンバータ３１の出力を、プロジェクタ１３内のフレームバッファ１３２に設定する。一方、(b)が選択された場合、選択設定部１３３Ｂは、Ａ／Ｄコンバータ３１の出力を、双方向デジタル通信手段に設定する。
【００３７】
（２）プロジェクションシステム７の作用
次に、前述した構成のプロジェクションシステム７の作用について、図４に示されるフローチャートに基づいて説明する。
プロジェクタ１３のサービスコンセント１３Ｂにコンピュータ１５の電源ケーブル１４を接続し、プロジェクタ１３及びコンピュータ１５のスイッチをオンにすると、画像処理選択手段１３３の選択肢提示部１３３Ａは、前記の内容のメニュー画面を投射画面上に表示して（処理Ｓ１２）、観察者の選択を促す。
観察者がプロジェクタ１３の操作ボタンを操作してコンピュータ１５による画像処理を選択したら、選択設定部１３３Ｂは、Ａ／Ｄコンバータ３１の出力を双方向デジタル通信手段３４に設定し、以下、第１実施形態と同様の処理Ｓ１〜処理Ｓ１１によって、投影画像の表示を行う。
【００３８】
一方、観察者がプロジェクタ１３による画像処理を選択したら、選択設定部１３３Ｂは、ＲＯＭ３２に記録された補正情報及びＲＡＭ３３に記録された画質設定情報を画像処理手段１３１に付設されるＲＡＭに読み込む（処理Ｓ１４）。
Ａ／Ｄコンバータ３１は、アナログ画像信号の読み込みを開始し（処理Ｓ１５）、入力されたアナログ画像信号のデジタル変換を行い（処理Ｓ１６）、さらに、アナログ画像信号処理を行った後、フレームバッファ１３２にデジタル画像信号を順次蓄積する。
【００３９】
画像処理手段１３１は、変換されたデジタル画像信号に対して、輝度ムラ補正、色ムラ補正、γ補正、及びユーザ設定調整等の画像処理を行う（処理Ｓ１７）。
画像処理手段１３１による画像処理が終了したら、Ｄ／Ａコンバータ３５は、処理済みのデジタル画像信号をアナログ変換して（処理Ｓ１８）、液晶駆動回路３６に出力し、液晶駆動回路３６は、入力されたアナログ制御信号に基づいて。液晶パネル３８を駆動する（処理Ｓ１９）。照明光学系３７から射出された光束は、液晶パネル３８の駆動によって変調され、スクリーン６上に投影画像が表示される（処理Ｓ２０）。
このようにプロジェクタ１３側及びコンピュータ１５側のいずれかで画像処理を選択させるように構成することにより、入力されるアナログ画像信号の重さに応じて、適切な画像処理を選択することが可能となる。
【００４０】
■３．第３実施形態
次に、本発明の第３実施形態について説明する。
前記第１実施形態では、プロジェクタ３及びコンピュータ５がＵＳＢケーブル４で接続される構成を採用していた。
これに対して、第３実施形態に係るプロジェクションシステム８は、図５に示すように、ネットワーク２４を介してプロジェクタ２３とコンピュータとしてのホストコンピュータ２５とが接続され、双方デジタル通信を行っている点が相違する。
ネットワーク２４は、例えば、イーサネット（登録商標）等の汎用のネットワークが使用されており、このネットワーク２４には、ホストコンピュータ２５の他にも、無線ＬＡＮハブ２６、プリンタ、インターネット接続用のＴＡアダプタ等の種々の周辺機器が接続されている。
【００４１】
プロジェクタ２３には、デジタル信号入出力端子としての無線ＬＡＮ用の送受信装置２３Ｂが設けられており、無線ＬＡＮハブ２６と通信可能となっている。
ホストコンピュータ２５は、演算処理性能の高いタワー型のコンピュータとして構成され、LAN用の入出力端子２５Ａで100BaseTケーブル等によってネットワーク２４と有線接続され、ネットワーク２４に接続された種々の周辺機器と通信可能となっている。
このような構成では、プロジェクタ２３から送信されたデジタル画像データは、無線ＬＡＮハブ２６で受信され、ネットワーク２４を介してホストコンピュータ２５に出力される。一方、ホストコンピュータ２５で処理されたデジタル画像データは、入出力端子２５Ａからネットワーク２４及び無線ＬＡＮハブ２６を介して、プロジェクタ２３の送受信装置２３Ｂで受信される。尚、詳しい画像処理の手順に関しては、第１実施形態の場合と同様なので、その説明を省略する。
【００４２】
このような第３実施形態に係るプロジェクションシステム８によれば、ホストコンピュータ２５のような高機能なコンピュータによって画像処理を行わせることができるため、高度かつ高速の画像処理をホストコンピュータ２５に行わせることができる。
また、無線ＬＡＮハブ２６の近くであれば、ネットワーク２４に簡単に接続することができるため、プロジェクタ２３でアナログ画像信号を表示させる場合であっても、近在にコンピュータを持ち込む必要がなく、取り扱いやすいプロジェクションシステムとすることができる。
【００４３】
■４．実施形態の変形
尚、本発明は、前述の実施形態に限定されるものではなく、次に示すような変形をも含むものである。
前記実施形態では、画像情報出力機器２としてＤＶＤ、ビデオ等の記録媒体を再生する機器であったが、本発明はこれに限らず、テレビ放送波等を受信して画像出力するチューナ等の機器であってもよい。
前記実施形態では、液晶パネル３８が１枚の単板式プロジェクタであったが、本発明はこれに限られない。すなわち、三板式の液晶パネルを備えたプロジェクタであっても本発明を採用することができる。尚、この場合、ＲＯＭ内に設定されるプロジェクタの固有の補正情報は、各液晶パネル毎の補正情報を格納しておけばよい。
【００４４】
前記実施形態では、光変調装置として液晶パネル３８を採用していたが、本発明はこれに限らず、マイクロミラーを用いて時分割でカラー画像を表示するＤＬＰ等の光変調装置を備えたプロジェクタに本発明を採用してもよい。
前記第３実施形態では、無線ＬＡＮの形態でプロジェクタ２３とネットワーク２４を接続するように構成していたが、これに限らず、有線接続によりプロジェクタ及びネットワークを接続するように構成してもよい。
その他、本発明の具体的な構成は、本発明の目的を達成できる範囲で他の構成等としてもよい。
【産業上の利用可能性】
【００４５】
本発明は、入力されたアナログ画像信号を投射表示するプロジェクタを備えたプロジェクションシステムに好適に用いることができる。
【図面の簡単な説明】
【００４６】
【図１】本発明の第１実施形態に係るプロジェクションシステムの構成を表す模式図。
【図２】前記実施形態におけるプロジェクションシステムの作用を説明するためのフローチャート。
【図３】本発明の第２実施形態に係るプロジェクションシステムの構成を表す模式図。
【図４】前記実施形態におけるプロジェクションシステムの作用を説明するためのフローチャート。
【図５】本発明の第３実施形態に係るプロジェクションシステムの構成を表す模式図。
【符号の説明】
【００４７】
１、７、８…プロジェクションシステム、２…画像情報出力機器、３Ａ…アナログ信号入力端子、３Ｂ、１３Ｂ、２３Ｂ…デジタル信号入出力端子、３１…Ａ／Ｄコンバータ、３４…双方向デジタル通信手段（プロジェクタ側）、５１…双方向デジタル通信手段（コンピュータ側）、５４…画像処理手段（コンピュータ側）
【図１】
2006284929.tif 000003
【図２】
2006284929.tif 000004
【図３】
2006284929.tif 000005
【図４】
2006284929.tif 000006
【図５】
2006284929.tif 000007